(57)【特許請求の範囲】
【請求項１】
単位紙を複数重層した重層束が収納され、該重層束より単位紙を一枚ずつ連続的に取出可能とした収納体において、本体下部と、該本体下部の底面の幅方向に沿って形成された取出用開口と、上下方向に隣接する上突出斜面と下突出斜面と前記上突出斜面と前記下突出斜面との間に位置する係止面とによってジグザグ形状又は鋸歯形状に形成された前後辺支持片と、上下に隣接する上部膨出条と下部膨出条とからなる幅辺支持片とからなり、前記前後辺支持片は前記本体下部の両側部内壁面に設けられ、前記幅辺支持片は前記本体下部の前側内壁面と後側内壁面にそれぞれ設けられてなることを特徴とするペーパータオルキャビネット。
【請求項２】
請求項１において、前記幅辺支持片の上部膨出条及び下部膨出条のそれぞれの断面形状は、半円形状としてなることを特徴とするペーパータオルキャビネット。
【請求項３】
請求項１又は２において、前記幅辺支持片の上部膨出条の上端位置は、前記前後辺支持片の係止面の位置よりも上方に位置してなることを特徴とするペーパータオルキャビネット。
【請求項４】
請求項１，２又は３のいずれか１項の記載において、前記下部膨出条は、前記上部膨出条よりも壁面からの膨出量が大きく形成されてなることを特徴とするペーパータオルキャビネット。
【請求項５】
請求項１，２，３又は４のいずれか１項の記載において、前記下突出斜面は、前記上突出斜面よりも緩傾斜として形成されてなることを特徴とするペーパータオルキャビネット。
【請求項６】
請求項１，２，３，４又は５のいずれか１項の記載において、前記本体下部の幅方向に直交する内方側断面形状は円弧状に形成されてなることを特徴とするペーパータオルキャビネット。
【請求項７】
請求項１，２，３，４，５又は６のいずれか１項の記載において、前記幅辺支持片は、下部膨出条の下端から底部案内板が一体形成されてなる幅辺支持片ピース材とし、前記両底部案内板の端縁同士が所定間隔をおいて対向するようにして、前記両幅辺支持片ピース材が前記本体下部の前側内壁面と後側内壁面にそれぞれ固着手段を介して装着され、前記両底部案内板は前記底面上に設置されると共に、両端縁同士の間隔部が取出用開口上に位置してなることを特徴とするペーパータオルキャビネット。
【請求項８】
請求項７において、前記固着手段は前記幅辺支持片ピース材の幅辺支持片の上端及び前記底部案内板の下面側に形成された補強リブに係止部が形成され、且つ前記本体下部の前側内壁面，後側内壁面及び底面には、前記係止部が係止する被係止部が形成されてなることを特徴とするペーパータオルキャビネット。
【請求項９】
請求項１，２，３，４，５，６又は７のいずれか１項の記載において、前記前後辺支持片の背面側に嵌合部が形成され、該嵌合部と嵌合接続される被嵌合突出部と端板を有する取付ピースが具備され、前記本体下部の両側部内壁面には前記取付ピースが前記本体下部の外部より被嵌合突出部のみが挿入可能な接続用貫通孔が形成され、前記取付ピースの被嵌合突出部が前記接続用貫通孔に挿入されると共に、前記前後辺支持片の背面側が前記取付ピースに嵌合固定されてなることを特徴とするペーパータオルキャビネット。
【発明の詳細な説明】
【技術分野】
【０００１】
本発明は、複数の単位紙を重層したペーパータオル等の束を安定的に収容することができ、その単位紙束が残り少量数枚となったときでも、略１枚ずつ取り出すことができるペーパータオルキャビネットに関する。
【背景技術】
【０００２】
従来、単位紙（一度に取り出せる紙片：ペーパータオル等）を複数重層した束を容器本体内に収容収納して、その収容部の底部に形成した単位紙の取出口から単位紙を一枚ずつ取り出すと同時に、次の単位紙がその単位紙取出口に迫り出すという構造のペーパータオルキャビネットが病院，コンビニエンスストア，介護施設，老人健康施設，デパート，ホテル、飲食店等の大型ビル内の各階のトイレ等に衛生器具として設置されている。
【０００３】
このような、ペーパータオルキャビネットでは、重層した単位紙束が残り十数枚以下となったときに、ペーパータオルを引き出そうとすると、一度に残りの全部が飛び出してしまい、無駄となる不都合が頻繁に生じていた。つまり、キャビネット内にペーパータオルが多数重層されて貯蔵されている状態では、ペーパータオルの全重量が下層のペーパータオルにかかり、その重量がペーパータオルを１枚ずつ取り出す際に次位のペーパータオルを過剰に引きずり出そうとする力に勝り、正確に１枚ずつ取り出すことができる。
【０００４】
しかし、ペーパータオルの束が残り十数枚のように僅かな量となったときから、従来タイプのキャビネットペーパータオルの束の重量が極めて軽量となり、それぞれのペーパータオルに上方からの圧力がほとんどかからず、ペーパータオルをキャビネットから取り出すときに、次位のペーパータオルをキャビネットから過剰に引きずり出すようになり、次位のペーパータオル或は全部のペーパータオルが飛び出してしまうという不都合が頻繁に生じていた。このようなことがペーパータオルの無駄ひいては資源の無駄として問題となっている。
【特許文献１】特開２００９−１３６５８６
【発明の開示】
【発明が解決しようとする課題】
【０００５】
前述したような問題を解決しようとするために、特許文献１のように、ガイドリブがキャビネット内の上下方向に沿って具備されたものが存在する。このリブは下方に向かうに従いキャビネット内に次第に突出するテーパー状の部材である。しかしながら、このような解決手段を講じても、残り十枚以下となった場合には、安定して１枚ずつ取り出せることが困難となる場合が生じる。そこで、本発明が解決しようとする課題（技術的課題又は目的等）は、その単位紙束が残り少量数枚（例えば、十数枚）となったときでも、１枚ずつ取り出すことが安定してできることを実現することである。
【課題を解決するための手段】
【０００６】
そこで、発明者は上記課題を解決すべく鋭意，研究を重ねた結果、請求項１の発明を、単位紙を複数重層した重層束が収納され、該重層束より単位紙を一枚ずつ連続的に取出可能とした収納体において、本体下部と、該本体下部の底面の幅方向に沿って形成された取出用開口と、上下方向に隣接する上突出斜面と下突出斜面と前記上突出斜面と前記下突出斜面との間に位置する係止面とによってジグザグ形状又は鋸歯形状に形成された前後辺支持片と、上下に隣接する上部膨出条と下部膨出条とからなる幅辺支持片とからなり、前記前後辺支持片は前記本体下部の両側部内壁面に設けられ、前記幅辺支持片は前記本体下部の前側内壁面と後側内壁面にそれぞれ設けられてなるペーパータオルキャビネットとしたことにより、上記課題を解決した。
【０００７】
請求項２の発明を、請求項１において、前記幅辺支持片の上部膨出条及び下部膨出条のそれぞれの断面形状は、半円形状としてなるペーパータオルキャビネットとしたことにより、上記課題を解決した。請求項３の発明を、請求項１又は２において、前記幅辺支持片の上部膨出条の上端位置は、前記前後辺支持片の係止面の位置よりも上方に位置してなるペーパータオルキャビネットとしたことにより、上記課題を解決した。
【０００８】
請求項４の発明を、請求項１，２又は３のいずれか１項の記載において、前記下部膨出条は、前記上部膨出条よりも壁面からの膨出量が大きく形成されてなるペーパータオルキャビネットとしたことにより、上記課題を解決した。請求項５の発明を、請求項１，２，３又は４のいずれか１項の記載において、前記下突出斜面は、前記上突出斜面よりも緩傾斜として形成されてなるペーパータオルキャビネットとしたことにより、上記課題を解決した。請求項６の発明を、請求項１，２，３，４又は５のいずれか１項の記載において、前記本体下部の幅方向に直交する内方側断面形状は円弧状に形成されてなるペーパータオルキャビネットとしたことにより、上記課題を解決した。
【０００９】
請求項７の発明を、請求項１，２，３，４，５又は６のいずれか１項の記載において、前記幅辺支持片は、下部膨出条の下端から底部案内板が一体形成されてなる幅辺支持片ピース材とし、前記両底部案内板の端縁同士が所定間隔をおいて対向するようにして、前記両幅辺支持片ピース材が前記本体下部の前側内壁面と後側内壁面にそれぞれ固着手段を介して装着され、前記両底部案内板は前記底面上に設置されると共に、両端縁同士の間隔部が取出用開口上に位置してなるペーパータオルキャビネットとしたことにより、上記課題を解決した。
【００１０】
請求項８の発明を、請求項７において、前記固着手段は前記幅辺支持片ピース材の幅辺支持片の上端及び前記底部案内板の下面側に形成された補強リブに係止部が形成され、且つ前記本体下部の前側内壁面，後側内壁面及び底面には、前記係止部が係止する被係止部が形成されてなるペーパータオルキャビネットとしたことにより、上記課題を解決した。
【００１１】
請求項９の発明を、請求項１，２，３，４，５，６又は７のいずれか１項の記載において、前記前後辺支持片の背面側に嵌合部が形成され、該嵌合部と嵌合接続される被嵌合突出部と端板を有する取付ピースが具備され、前記本体下部の両側部内壁面には前記取付ピースが前記本体下部の外部より被嵌合突出部のみが挿入可能な接続用貫通孔が形成され、前記取付ピースの被嵌合突出部が前記接続用貫通孔に挿入されると共に、前記前後辺支持片の背面側が前記取付ピースに嵌合固定されてなるペーパータオルキャビネットとしたことにより、上記課題を解決した。
【発明の効果】
【００１２】
請求項１の発明では、収納体において、本体下部の両側部内壁面に上突出斜面と下突出斜面と前記上突出斜面と前記下突出斜面との間に位置する係止面とによってジグザグ形状又は鋸歯形状に形成された前後辺支持片を有し、また前側内壁面と後側内壁面に上下に隣接する上部膨出条と下部膨出条とからなる幅辺支持片とを備えたことで、ペーパータオル（単位紙）の束の量が残り僅かとなった場合において、１枚の単位紙を取り出す際に残り全部の単位紙が引きずり出されることを防止し、最後まで単位紙を１枚ずつ正確に取り出すことができるものである。
【００１３】
上記効果を詳述すると、重層束を構成する単位紙の残量が少量枚数（十数枚以下で特に十枚以下）となったときには、両前後辺支持片及び両幅辺支持片によって、単位紙の周囲が適度な力で固定される状態にできる。すなわち、前後辺支持片では、上突出斜面と係止面と下突出斜面とが鋸歯状又はジグザグ状に形成されており、幅辺支持片は、上部膨出条と下部膨出条とから構成されたものである。
【００１４】
このような前後辺支持片と幅辺支持片によって、残り僅かな量の重層束の最下層の単位紙は、前後辺支持片の係止面により抑えられ、また幅辺支持片の下部膨出条によって支持される。これによって、キャビネットの取出用開口から最下層の単位紙を取り出すときに、その単位紙と共に重層束全体に大きなくねり動作が生じて、重層束の整列状態が乱されてしまう事態を防止すると共に、最下層の単位紙を取り出すときに、次位の単位紙或は残りの全単位紙を引きずり出してしまうことを防止できる。
【００１５】
これによって、重層束の単位紙の残り枚数が僅かとなり、その単位紙全部が一回の取り出しで、キャビネットから外部に一度に抜け出し易い状態となった場合でも、最後まで単位紙を一枚ずつ正確且つ確実に取り出すことができ、無駄を排除することができる。しかも、前後辺支持片及び幅辺支持片は形状及び構成は極めて単純であり、本体下部に簡単に装着できる。これは、従来タイプのキャビネットにも装着可能である。
【００１６】
請求項２の発明においては、前記幅辺支持片の上部膨出条及び下部膨出条のそれぞれの断面形状は、半円形状としているので、幅辺支持片ペーパータオルの重層束の下層部分を支持することができると共に、引き出されるペーパータオルによって、次のペーパータオルが上部膨出条から下部膨出条に支持の移動が円滑に行われ安定したペーパータオルの引出作業ができるものである。
【００１７】
請求項３の発明では、前記幅辺支持片の上部膨出条の上端位置は、前記前後辺支持片の係止面の位置よりも上方に位置する構成としているので、最下層のペーパータオルは、前後方向両側の幅辺支持片と、幅方向両側の前後辺支持片の係止面によって、常時一定した状態で４辺が支持され、ペーパータオルの引き出しにおけるキャビネット内部での前後左右方向の傾き動作を防止し、残りが少数となったペーパータオルの束から１枚のみの引出が最後の１枚となるまで行うことができるものである。
【００１８】
請求項４の発明では、前記下部膨出条は、前記上部膨出条よりも壁面からの膨出量が大きく形成される構成としたことにより、束の最下層のペーパータオルの引き出し動作において、上部膨出条からは下部膨出条まで円滑に案内されると共に下部膨出条は膨出量が大きいので、最下層のペーパータオルのストッパとしての役目をなすものであると共に、ペーパータオルを使用する人が取り出すときには、容易に取り出すことができ、無駄な排紙が防止できる。
【００１９】
請求項５の発明では、前記下突出斜面は、前記上突出斜面よりも緩傾斜として形成されているので、上突出斜面から下突出斜面への移動は円滑に行われ、下突出斜面からは、前記幅辺支持片の下部膨出条と共に、最下層のペーパータオルの下方への移動に僅かに抵抗する力を発生し、これによって、無駄な排紙を防止することができるものである。請求項６の発明では、前記本体下部の幅方向に直交する内方側断面形状は円弧状に形成されたことにより、ペーパータオルの取り出し動作において底面と接触しても単位紙の移動が円滑となり、良好な取出動作にすることができる。
【００２０】
請求項７の発明では、幅辺支持片と、該幅辺支持片３の下部膨出条の下端から一体形成された底部案内板とからなり、本体下部とは別材とした幅辺支持片ピース材を具備し、前記両底部案内板の端縁同士が所定間隔をおいて対向するようにして、前記両幅辺支持片ピース材を前記本体下部の前側内壁面と後側内壁面にそれぞれ固着手段を介して装着する構成としたものである。これによって、本体下部に幅辺支持片を簡易且つ迅速に組み付けることができる。また、底部案内板は長手方向に直交する断面を下方向に向かって凸となる円弧形状とすることにより、本体下部の底面が平坦状な形状の収納体であっても、前後方向において略左右対称となる円弧状の底面を構成することができる。
【００２１】
請求項８の発明では、前記固着手段は前記幅辺支持片ピース材の幅辺支持片の上端及び前記底部案内板の下面側に形成された補強リブに係止部が形成され、且つ前記本体下部の前側内壁面，後側内壁面及び底面には、前記係止部が係止する被係止部が形成される構成としたことにより、幅辺支持片ピース材の係止部を本体下部の被係止部に係止することにより、幅辺支持片ピース材は本体下部にビス又は接着剤等の固着具を使用することなく、簡単に装着することができる。
【００２２】
請求項９の発明では、前記前後辺支持片の背面側に嵌合部が形成され、該嵌合部と嵌合接続される被嵌合突出部と端板を有する取付ピースが具備された構成とし、本体下部の両側面側開口部には前記取付ピースが前記本体下部の外部より被嵌合突出部のみが挿入可能な接続用貫通孔が形成され、前記取付ピースの被嵌合突出部が前記接続用貫通孔に挿入されると共に、前記前後辺支持片の背面側が前記取付ピースに嵌合固定されてなる構成とた。これによって、前後辺支持片と、取付ピースとは嵌合手段のみで接続することができ、前後辺支持片は、本体下部にビス又は接着剤等の固着具を使用することなく、簡単に装着することができる。
【図面の簡単な説明】
【００２３】
【図１】（Ａ）は本発明の第１実施形態の縦断正面図、（Ｂ）は第１実施形態の縦断側面図、（Ｃ）は第１実施形態の本体下部の一部切除した要部斜視図、（Ｄ）は本発明に使用される重層束の略示図である。
【図２】（Ａ）は本発明の第１実施形態の本体下部の要部拡大縦断正面図、（Ｂ）は（Ａ）の（ア）部拡大図、（Ｃ）は本発明の本体下部の要部拡大縦断側面図、（Ｄ）は（Ｃ）の（イ）部拡大図、（Ｅ）は本体下部の重層束が配置された横断平面図である。
【図３】（Ａ）は本発明の作用を示す本体下部の縦断正面図、（Ｂ）は（Ａ）の（ウ）部拡大図、（Ｃ）は本発明の作用を示す本体下部の縦断側面図である。
【図４】（Ａ）は残り枚数が少量となった重層束が前後辺支持片及び幅辺支持片にて支持されている要部縦断側面図、（Ｂ）は（Ａ）のＹ1−Ｙ1矢視拡大断面図、（Ｃ）は重層束の最下層の単位紙の取出行程の初期を示す要部縦断側面図、（Ｄ）は（Ｃ）びＹ2−Ｙ2矢視拡大断面図、（Ｅ）は重層束の最下層の単位紙の取出行程の後期を示す要部縦断側面図、（Ｆ）は（Ｅ）はＹ3−Ｙ3矢視拡大断面図である。
【図５】（Ａ）は残り枚数が僅少となった重層束が前後辺支持片及び幅辺支持片にて支持されている要部縦断側面図、（Ｂ）は（Ａ）のＹ4−Ｙ4矢視拡大断面図、（Ｃ）は重層束の最下層の単位紙の取出行程の初期を示す要部縦断側面図、（Ｄ）は（Ｃ）のＹ5−Ｙ5矢視拡大断面図、（Ｅ）は重層束の最下層の単位紙の取出行程の後期を示す要部縦断側面図、（Ｆ）は（Ｅ）はＹ6−Ｙ6矢視拡大断面図である。
【図６】（Ａ）は別の実施形態の本体下部の縦断正面図、（Ｂ）は別の実施形態の本体下部の縦断側面図、（Ｃ）は別の実施形態の前後辺支持片の側面図、（Ｄ）はさらに別の実施形態の前後辺支持片の側面図、（Ｅ）は別の実施形態の幅辺支持片を設けた本体下部の縦断側面図である。
【図７】（Ａ）は本発明において主案内板，副案内板が存在しない実施形態の縦断正面図、（Ｂ）は縦断側面図、（Ｃ）は本体下部の一部切除した要部斜視図である。
【図８】（Ａ）は本発明の第２実施形態の縦断側面図、（Ｂ）は（ア）部拡大図、（Ｃ）は（Ｂ）のＹ7−Ｙ7矢視断面図である。
【図９】（Ａ）は本発明の第２実施形態の本体下部の一部切除した要部斜視図、（Ｂ）は第２実施形態の横断平面図、（Ｃ）は前側内壁面に装着する幅辺支持片ピース材の斜視図、（Ｄ）は後側内壁面に装着する幅辺支持片ピース材の斜視図である。
【図１０】（Ａ）は前側内壁面に幅辺支持片ピース材を装着する工程を示す要部拡大断面図、（Ｂ）は後方側端部に幅辺支持片ピース材を装着する工程を示す要部拡大断面図である。
【図１１】（Ａ）は第３実施形態における前後辺支持片と取付ピースの分離した斜視図、（Ｂ）は（Ａ）のＹ8−Ｙ8矢視断面図、（Ｃ）は（Ａ）のＹ9−Ｙ9矢視断面図、（Ｄ）は本発明の第３実施形態における前後辺支持片との装着状態を示す断面図、（Ｅ）は（Ｄ）のＹ10−Ｙ10矢視断面図である。
【図１２】（Ａ）は前後辺支持片の別の実施形態の斜視図、（Ｂ）は（Ａ）のＹ11−Ｙ11矢視断面図、（Ｃ）は（Ｂ）の変形例の断面図である。
【図１３】収納体の横断平面図と単位紙の位置関係を示す説明図である。
【発明を実施するための形態】
【００２４】
以下、本発明の実施形態について図面に基づいて説明する。本発明におけるペーパータオルキャビネットに収納されるペーパータオルは、通常使用されるペーパータオルの他に種々の衛生用ペーパー，キッチン用ペーパー等も含まれる。ペーパータオル及び上述したその他のペーパーについては、以下単位紙ｃと称する。そして、多数枚の単位紙ｃ，ｃ，…が複数重層して束状に構成されたものを重層束Ｃと称する。本発明のペーパータオルキャビネットは、主に重層束Ｃを収容する収納体１と、該収納体１の重層束Ｃの収納スペースを開閉自在に覆う蓋体４とから構成されている。
【００２５】
前記収納体１は、本体下部１１と、本体上部１２とからなる〔図１（Ａ），（Ｂ）参照〕。該本体上部１２には、重層束Ｃが収納されるための収納スペースが存在する〔図１（Ａ），（Ｂ）参照〕。さらに、蓋体４は、前記収納体１に枢着部５を介して、収納体１の正面側に対して開閉自在となるように装着されている〔図１（Ａ），（Ｂ）参照〕。前記蓋体４は、正面側に被覆部正面４１及び被覆側部４２，４２から形成され、蓋体４の収納体１に対する閉め状態で、前記被覆部正面４１が収納体１の正面側を被覆し、前記両被覆側部４２，４２が収納体１の幅方向両側部を被覆する〔図１（Ｂ）参照〕。
【００２６】
収納体１より蓋体４を開いた状態において、収納体１の正面側が略全開状態となり、本体上部１２の収納スペースに複数の単位紙ｃ，ｃ，…の重層束Ｃを容易に入れることができるようになっている。また、特に図示しないが、前記収納体１と前記蓋体４との両者間には、相互に嵌合して蓋体４の収納体１に対する被覆（閉め）状態を維持するためのロック部等が具備されている。
【００２７】
本体下部１１は、収納体１の下方を占める部位であり、略長方形状の受け皿（トレイ）形状に形成されたものである。本体下部１１は、底面１１ａと、幅方向両側の側部内壁面１１ｂ，１１ｂと、前後方向前方側の前側内壁面１１ｃと、前後方向後方側の後側内壁面１１ｄとを有する。ここで本体下部１１を含む収納体１の幅方向とは、該収納体１を正面より見てその横方向を示すものであり、図１（Ａ）では左右方向であり、前後方向とは収納体１の正面より見て、その奥行きを示すもので、図１（Ｂ）では左右方向となる。前述した幅方向及び前後方向については、それぞれの他の図にも矢印にて示されている。
【００２８】
本体下部１１の底面１１ａは、その幅方向に直交する断面形状が円弧状（半円形状）に形成されている。該底面１１ａの最下位置で且つ幅方向に沿って取出用開口１１ｅが長孔状に形成されている〔図１（Ａ）乃至（Ｂ），図２（Ａ），（Ｃ），（Ｄ）参照〕。さらに、底面１１ａの外方側において、前記取出用開口１１ｅの前後方向の両端縁付近で且つ幅方向中間箇所の位置には主案内板１１ｆ，１１ｆが略垂下状に形成され、またその幅方向両端側には副案内板１１ｇ，１１ｇが略垂下状に形成されている〔図１（Ａ）乃至（Ｃ），図２（Ａ），（Ｂ），図３（Ａ）等参照〕。
【００２９】
前記主案内板１１ｆ，１１ｆ及び副案内板１１ｇ，１１ｇは、取出用開口１１ｅの前後方向両端縁にてそれぞれ略平行に対向するように形成されたものである。そして、前記取出用開口１１ｅの幅方向に沿って、中間に位置する主案内板１１ｆと、その幅方向両側に位置する両副案内板１１ｇ，１１ｇとの間には空隙が存在するように構成されている。この空隙を取出用空隙部１１ｈ，１１ｈと称する〔図１（Ａ），図２（Ａ），図３（Ａ）等参照〕。
【００３０】
該取出用開口１１ｅの幅方向寸法は、収納体１に内装されている重層束Ｃの単位紙ｃの幅方向寸法に対して僅かに大きく形成されている。そして、該単位紙ｃを一枚取り出すと、その引き出された単位紙ｃに引きずられて次位の単位紙ｃが前記取出用開口１１ｅよりつまみ可能な状態となるように一部が突出するように構成されている。取出用開口１１ｅより突出する単位紙ｃの一部は、前記取出用空隙部１１ｈ，１１ｈに露出した状態となり、使用者は取出用空隙部１１ｈ，１１ｈから単位紙ｃの突出部分をつまみながら取り出すものである。
【００３１】
また、収納体１における本体下部１１の取出用開口１１ｅの周囲には、前記主案内板１１ｆ，１１ｆ，副案内板１１ｇ，１１ｇ及び取出用空隙部１１ｈ，１１ｈが形成されない実施形態も存在する（図７参照）。この実施形態では、取出用開口１１ｅのいずれの位置からでも単位紙ｃを取り出すことができる。
【００３２】
重層束Ｃは、これを構成する多数枚の単位紙ｃ，ｃ，…のそれぞれが二つ折りに形成され、その折返し閉じ側が互い違いとなるようにして単位紙ｃ，ｃ同士をかみ合わせつつ積層されたものである。すなわち、二つ折り形成された一つの単位紙ｃの開き側に他の二つ折り形成された２個の単位紙ｃのそれぞれの折返し片が挿入された構成が上下方向に連続して積層されて重層束Ｃが構成される。重層束Ｃは、従来品であり従来技術によるペーパータオルのディスペンサに多く使用されたものである。
【００３３】
前記本体下部１１の幅方向の両側部内壁面１１ｂ，１１ｂには、前後辺支持片２，２が装着される〔図１（Ａ）乃至（Ｃ），図２（Ａ），（Ｃ），（Ｅ）参照〕。また、前記本体下部１１の前側内壁面１１ｃ及び後側内壁面１１ｄにはそれぞれ幅辺支持片３，３が装着される〔図１（Ａ）乃至（Ｃ），図２（Ａ），（Ｃ），（Ｅ）参照〕。前後辺支持片２，２は、本体下部１１に収納された重層束Ｃの前後辺を支持する役目をなし、幅辺支持片３，３は重層束Ｃの幅辺を支持する役目をなす。
【００３４】
ここで、重層束Ｃにおいて、該重層束Ｃを構成する単位紙ｃは、前述したように、二つ折りとされ、この状態で平面より見た形状は長方形となる。そして、前後辺とは短辺のことであり、前後方向に沿う辺となる。幅辺とは、長辺のことであり、幅方向に沿う辺となる〔図２（Ｅ），図１３参照〕。前記単位紙ｃは、収納体１に収納された状態で、収納体１の本体下部１１で幅方向に、単位紙ｃの幅辺を合わせ、前後方向に単位紙ｃの前後辺を合わせて収納されることになる（図９参照）。単位紙ｃの幅辺は、本体下部１１の幅辺支持片３が対応して、支持され、単位紙ｃの前後辺は、本体下部１１の前後辺支持片２が対応して支持される。
【００３５】
前後辺支持片２は、上突出斜面２１と係止面２２と下突出斜面２３とを有する部材である。前後辺支持片２は、本体下部１１とは別部材として形成され、２個で一対をなすものであり、ビス等の固着具及び介在部材にて本体下部１１の両側部内壁面１１ｂ，１１ｂに固着されるものである。前後辺支持片２は、上突出斜面２１と下突出斜面２３とが上下方向に隣接しており、前記上突出斜面２１と前記下突出斜面２３との間に係止面２２が位置している。
【００３６】
上突出斜面２１と係止面２２と下突出斜面２３とによってジグザグ形状又は鋸歯形状に形成される。具体的には上突出斜面２１は下り坂状の傾斜面であり、上突出斜面２１の下端より一旦奥に凹むようにして係止面２２が形成される。該係止面２２は下方に向いて形成された略水平状の面である。
【００３７】
該係止面２２より、下突出斜面２３が形成されている。該下突出斜面２３は、前記上突出斜面２１と同様に下り坂の傾斜面である。上突出斜面２１及び下突出斜面２３は共に略直角三角形状（又はヒトの鼻形状）に形成されており、その斜面はいずれも直角に近い鋭角であるが、前記下突出斜面２３は、前記上突出斜面２１よりも緩傾斜として形成されている。
【００３８】
つまり、水平線Ｌｈに対して上突出斜面２１の角度をθａとし、下突出斜面２３の角度をθｂとすると、θａ＞θｂとなる〔図２（Ｂ）参照〕。前後辺支持片２は、その側面すなわち重層束Ｃを支持する側の形状は、長方形である。さらに下突出斜面２３の下端の角部は、円弧状（アール）となるように形成されることが好ましい。これによって、単位紙ｃ，ｃ，…が円滑に取り出されることができる。
【００３９】
２個の前後辺支持片２，２は、本体下部１１の両側部内壁面１１ｂ，１１ｂに両上突出斜面２１及び下突出斜面２３とが対向するようにして装着される。両前後辺支持片２，２の両側部内壁面１１ｂ，１１ｂに対する前後方向及び取付け高さのそれぞれの位置は、同一位置となるように設定される。また、前後辺支持片２の前後方向寸法は、側部内壁面１１ｂの前後方向寸法に対して極めて小さい寸法であり、具体的には１０mm乃至３０mm程度でよいが、特に寸法の範囲に限定されなくてもよく、使用条件或いは紙質に応じて適宜に設定されればよい。
【００４０】
また、前後辺支持片２は、その側面の形状が上突出斜面２１が長方形状に形成され、下突出斜面２３が台形状に形成されたものが存在する〔図６（Ｂ）参照〕。前記下突出斜面２３を台形状としたものでは、略台形状としたものも含まれる〔図６（Ｃ）参照〕。前後辺支持片２は、その側面の形状が上突出斜面２１から下突出斜面２３に亘って台形状に形成されたものも存在する〔図６（Ｄ）参照〕。
【００４１】
通常、重層束Ｃは、その殆どの単位紙ｃ，ｃ，…が両前後辺が両前後辺支持片２，２の両上突出斜面２１，２１によって支持される。そして、重層束Ｃの下層の数枚（具体的には約１０枚以下）の単位紙ｃ，ｃ，…は、両係止面２２，２２を越えて両下突出斜面２３，２３に支持される。前述したように、下突出斜面２３は、上突出斜面２１よりも緩傾斜に形成されているので、単位紙ｃが取出用開口１１ｅからキャビネット外部に引き出される際の、下方に移動するときの抵抗が大きくなるように構成される。また、上突出斜面２１は、下突出斜面２３よりも急傾斜であり、両上突出斜面２１，２１にて支持される重層束Ｃは下層側の単位紙ｃが引き出されてゆくに従い、重層束Ｃが下降するがそのときに円滑に下降することができる構成となっている。
【００４２】
幅辺支持片３は、上部膨出条３１と下部膨出条３２とが上下方向に隣接して形成されたものである〔図１（Ａ）乃至（Ｃ），図２（Ａ），（Ｃ），（Ｄ）参照〕。上部膨出条３１及び下部膨出条３２は、それぞれが軸形状に形成されたものである。上部膨出条３１及び下部膨出条３２の軸方向が、本体下部１１の幅方向に沿って、前側内壁面１１ｃ及び後側内壁面１１ｄに固着されたものである。上部膨出条３１と下部膨出条３２とは分離したものではなく、一体化されて形成されたものである〔図２（Ｄ）参照〕。
【００４３】
上部膨出条３１及び下部膨出条３２の軸方向に直交する断面形状は、略半円形状に形成されている。下部膨出条３２は、上部膨出条３１よりも前側内壁面１１ｃ或は後側内壁面１１ｄからの膨出量が大きく形成されている〔図１（Ｂ），図２（Ｃ），（Ｄ），（Ｅ）等参照〕。すなわち、下部膨出条３２の前側内壁面１１ｃ（或は後側内壁面１１ｄ）からの膨出量Ｋｂは、上部膨出条３１の前側内壁面１１ｃ（或は後側内壁面１１ｄ）からの膨出量Ｋａよりも大きい。つまり、Ｋｂ＞Ｋａである〔図２（Ｄ）参照〕。また、下部膨出条３２の膨出量Ｋｂは、下部膨出条３２の膨出量Ｋａの約２倍程度であるが、必ずしもこの比率に限定されるものではない。
【００４４】
幅辺支持片３の上部膨出条３１の上端位置は、前記前後辺支持片２の係止面２２の位置よりも僅かに上方に位置するように設定される〔図２（Ａ），（Ｃ）参照〕。前後辺支持片２は、本体下部１１とは別部材として形成され、２個で一対をなすものであり、ビス等の固着具及び介在部材にて本体下部１１の両側部内壁面１１ｂ，１１ｂに固着されるものである。
【００４５】
２個の幅辺支持片３，３は、本体下部１１の前側内壁面１１ｃと後側内壁面１１ｄに対向するようにして装着され、且つ高さ位置は、同一位置となるように設定される〔図１（Ｂ），（Ｃ）参照〕。また、幅辺支持片３は、前側内壁面１１ｃと後側内壁面１１ｄのそれぞれの幅方向に対して２箇所に分離されて装着された実施形態も存在する〔図６（Ａ）参照〕。さらに、上部膨出条３１及び下部膨出条３２の断面形状は、三角形状とすることもある〔図６（Ｅ）参照〕。
【００４６】
次に、本発明の第２実施形態を、図８乃至図１０に基づいて説明する。この第２実施形態では、前記幅辺支持片３に底部案内板３３を設けて、これを幅辺支持片ピース材Ａとし、該幅辺支持片ピース材Ａが本体下部１１に装着される構成としたものである〔図８，図９（Ａ）参照〕。幅辺支持片ピース材Ａは、前記幅辺支持片３は、前述したように上部膨出条３１と下部膨出条３２とを有しており、下部膨出条３２の下端から底部案内板３３が設けられたものである〔図８（Ｂ），図９（Ｃ），（Ｄ）及び図１０参照〕。
【００４７】
幅辺支持片ピース材Ａは、本体下部１１の前側内壁面１１ｃに装着されるものと、後側内壁面１１ｄに装着されるものとが存在し、この２個の幅辺支持片ピース材Ａ，Ａは、適正に装着された状態で、本体下部１１の前後方向において、略左右対称となる構成となる（図８参照）。幅辺支持片ピース材Ａの幅辺支持片３は、上部膨出条３１と下部膨出条３２とが長手方向に直交する断面が略「３」字形状又は反「３」字形状となるように一体形成されている。前記上部膨出条３１及び下部膨出条３２は、中実状又は略半割円管状の合成樹脂材である。
【００４８】
そして、下部膨出条３２の下端から、該下部膨出条３２の膨出する方向に突出するようにして底部案内板３３が形成されている〔図９（Ｃ），（Ｄ）及び図１０参照〕。さらに具体的には、下部膨出条３２と底部案内板３３との間に略垂直状に形成された垂直状片３４が形成されている。つまり、下部膨出条３２から垂直状片３４を介して底部案内板３３が形成される。垂直状片３４の高さ寸法は、下部膨出条３２と同等以下の寸法である。
【００４９】
底部案内板３３は、その長手方向に直交する断面が下方向に向かって凸となる円弧状となるように形成されている。幅辺支持片ピース材Ａは、前側内壁面１１ｃと後側内壁面１１ｄに装着された状態で、底部案内板３３の先端縁３３ａが本体下部１１の取出用開口１１ｅの前後方向両端の内周縁に一致するように形成されている。底部案内板３３の下面側には、長手方向に沿って複数の平板状のリブ３３ｂ，３３ｂ，…が形成されている。
【００５０】
次に、幅辺支持片ピース材Ａと、収納体１の本体下部１１への固着手段について説明する。幅辺支持片ピース材Ａは、前側内壁面１１ｃに装着されるものと、後側内壁面１１ｄに装着されるものとでは、構造に僅かな違いが存在する。まず、前側内壁面１１ｃに装着される幅辺支持片ピース材Ａには、後述する係止部が形成され、収納体１の本体下部１１の前側内壁面１１ｃには後述する被係止部がそれぞれ形成されている。
【００５１】
幅辺支持片ピース材Ａの係止部は、上方係止部３５，下方係止部３６及び中間係止部３７が存在する〔図８（Ｂ）、図１０（Ａ）参照〕。前記上方係止部３５は、長手方向に直交する断面形状が「Ｌ」字形状に形成されており、上部膨出条３１の上端から水平片３５ｂが形成され、該水平片３５ｂの端部より直角状に垂直片３５ａが形成されたものである〔図８（Ｂ）参照〕。前記下方係止部３６は、リブ３３ｂの下端から下方に向かって突出形成されている〔図８（Ｂ）参照〕。さらに、前記中間係止部３７は、リブ３３ｂの前後方向端部で且つ前記下部膨出条３２の裏面側となる位置から外方且つ水平方向に突出するように形成されている〔図８（Ｂ）参照〕。
【００５２】
前記本体下部１１の前側内壁面１１ｃには、被係止部が形成されている。該被係止部は、上方被係止部１３，下方被係止部１４及び中間被係止部１５とからなり、それぞれ貫通孔として形成されている〔図８（Ｂ），図１０（Ａ）参照〕。上方係止部３５は、前側内壁面１１ｃの下方から僅か上方の位置に形成される。中間被係止部１５は、前側内壁面１１ｃの下端箇所に形成されている。さらに下方被係止部１４は、本体下部１１の底面１１ａに形成される〔図８（Ｂ），図１０（Ａ）参照〕。
【００５３】
そして、幅辺支持片ピース材Ａの上方係止部３５が上方被係止部１３に係止し、中間係止部３７が中間被係止部１５に係止し、下方係止部３６が下方被係止部１４に係止する〔図８（Ｂ）参照〕。具体的には、幅辺支持片ピース材Ａの上方係止部３５が本体下部１１の上方被係止部１３に挿入されつつ、前記上方係止部３５を中心にして幅辺支持片ピース材Ａを回動して底部案内板３３を底面１１ａに近接させ、中間係止部３７が中間被係止部１５に挿入し、下方係止部３６を下方被係止部１４に挿入して、幅辺支持片ピース材Ａを本体下部１１に固定させる〔図８，図１０（Ａ）参照〕。
【００５４】
次に、後側内壁面１１ｄ側に装着される幅辺支持片ピース材Ａは、前述した前側内壁面１１ｃに装着される幅辺支持片ピース材Ａとは、構成が異なり、上方係止部３５及び中間係止部３７が存在しないものであり、下方係止部３６のみが存在する。また、被係止部は、後側内壁面１１ｄ側よりの底面１１ａに形成される下方被係止部１４のみである〔図１０（Ｂ）参照〕。
【００５５】
そして、下方係止部３６の下端には、係止突出条３６ａが形成されている。該係止突出条３６ａは下方係止部３６の下端且つ長手方向に沿って形成されたものであり、水平方向に膨出形成されたものである〔図８（Ｃ）参照〕。そして、後側内壁面１１ｄ寄りの底面１１ａに形成された下方被係止部１４に下方係止部３６が挿入されると共に前記係止突出条３６ａが下方被係止部１４から本体下部１１の外部に突出し、係止突出条３６ａが下方被係止部１４に係止されて、幅辺支持片ピース材Ａを本体下部１１に固定させる〔図８，図１０（Ｂ）参照〕
【００５６】
幅辺支持片ピース材Ａは、幅方向（長手方向）において、前側内壁面１１ｃ側に装着されるものと、後側内壁面１１ｄに装着されるものとは、その長さ寸法が異なり、前側内壁面１１ｃに装着される幅辺支持片ピース材Ａは、後側内壁面１１ｄに装着される幅辺支持片ピース材Ａよりも短く形成されている。
【００５７】
具体的には、前側内壁面１１ｃに装着される幅辺支持片ピース材Ａは、後側内壁面１１ｄに装着される幅辺支持片ピース材Ａの長手方向の略半分以下の寸法である。そして、前側内壁面１１ｃ側に装着される幅辺支持片ピース材Ａは、２個具備され、長手方向において適宜の間隔をおいて設置される。
【００５８】
そして、前側内壁面１１ｃ側に装着される両幅辺支持片ピース材Ａ，Ａの間隔は、摘み用開口１１ｍの両側に位置するように配置されている〔図９（Ｂ）参照〕。該摘み用開口１１ｍは、前記取出用開口１１ｅの長手方向（収納体１の幅方向と同一方向）の中間箇所から前側内壁面１１ｃ側に向かって形成された開口である。摘み用開口１１ｍは、収納体１に収納された重層束Ｃの最下位置の単位紙ｃを摘み出すための部位である。
【００５９】
本発明の第２実施形態における、幅辺支持片ピース材Ａと本体下部１１とのその他の固着手段の実施形態としては、特に図示しないが、幅辺支持片ピース材Ａに係止部を具備せず、また本体下部１１にも被係止部を具備しないで、幅辺支持片ピース材Ａを本体下部１１にビス等の固着具にて直接固着したり、幅辺支持片ピース材Ａと本体下部１１とを、両面粘着テープにて装着することもある。本発明の実施形態における収納体１では、蓋体４の開閉動作における枢着部５は、収納体１の上端且つ前端の位置に設けられている。すなわち、蓋体４はその下端が前記枢着部５を回動中心として円弧軌跡にしたがって開閉するものである〔図８（Ａ）参照〕。
【００６０】
次に、本発明の第３実施形態では、前後辺支持片２の固着手段に関する構造である。前記前後辺支持片２は、第１実施形態における前後辺支持片２と略同様で、上突出斜面２１，係止面２２，下突出斜面２３を有している。そして、前後辺支持片２の背面側には、嵌合部２４が形成され、該嵌合部２４と嵌合接続される取付ピース６が具備されている〔図１１（Ａ），（Ｂ）参照〕。
【００６１】
前記嵌合部２４は前後辺支持片２の背面側より２個の嵌合突出板２４a，２４aが上下方向に適宜の間隔をおいて形成されている〔図１１（Ａ）参照〕。両嵌合突出板２４a，２４aには、垂直板片状の嵌合突出条２４ｂ，２４ｂが共に他方側に向かって形成されている。両嵌合突出条２４ｂ，２４ｂの長手方向中間箇所には小突起２４ｂ’が形成されている。また、取付ピース６は、被嵌合突出部６１と端板６２とを有する。
【００６２】
被嵌合突出部６１は、該被嵌合突出部６１の周方向に沿って被嵌合溝６１ａが形成されている。また該被嵌合溝６１ａには小窪み６１ａ’が形成されている。前記被嵌合溝６１ａに前記嵌合突出条２４ｂ，２４ｂが挿入し、前記小突起２４ｂ’が前記小窪み６１ａ’に嵌合し、前後辺支持片２と取付ピース６とが接合する〔図１１（Ｄ），（Ｅ）参照〕。
【００６３】
また、本体下部１１の両側部内壁面１１ｂ，１１ｂには、接続用貫通孔１１ｐ，１１ｐが形成されている。該接続用貫通孔１１ｐは、取付ピース６の被嵌合突出部６１のみが挿入可能で、端板６２は接続用貫通孔１１ｐの周縁に当接するようになっている。すなわち、端板６２は、取付ピース６の挿入を規制するストッパの役目及び接続用貫通孔１１ｐのキャップとしての役目をなす〔図１１（Ｄ）参照〕。
【００６４】
そして、前記取付ピース６の被嵌合突出部６１が前記接続用貫通孔１１ｐに挿入されると共に、本体下部１１の内方側で前記前後辺支持片２の背面側の嵌合部２４の両嵌合突出板２４a，２４aに形成された嵌合突出条２４ｂ，２４ｂを、前記取付ピース６の被嵌合突出部６１の被嵌合溝６１ａに対して前後方向よりスライドさせるようにして食い込ませる。これによって、両嵌合突起２４ｂ，２４ｂが被嵌合溝６１ａに挿入し、前記小突起２４ｂ’が前記小窪み６１ａ’に嵌合し、前後辺支持片２が取付ピース６によって両側部内壁面１１ｂ，１１ｂに固定される〔図１１（Ｄ）参照〕。
【００６５】
図１２は、前後辺支持片２の下突出斜面２３の形状の変形例である。図１２（Ａ），（Ｂ）は、下突出斜面２３に球面状の膨出部２３ａが形成されたものである。該膨出部２３ａは下突出斜面２３の傾斜面との境界が明確に形成されている。また、図１２（Ｃ）は、下突出斜面２３の傾斜面と前記膨出部２３ａとの境界が緩やかに変化する形状としたものである。
【００６６】
本発明においては、収納体１に収納された重層束Ｃの下層側から、本体下部１１の取出用開口１１ｅより単位紙ｃを一枚ずつ取り出すことができる。多数の単位紙ｃ，ｃ，…が残っている場合には、重層束Ｃは両前後辺支持片２，２及び両幅辺支持片３，３によって支持され、且つ下層側の単位紙ｃ，ｃ，…には重層束Ｃの重量がかかっており、その重量による荷重が適正に作用して、単位紙ｃ，ｃ，…同士が引きずられることなく、安定した状態で一枚ずつ正確に取り出すことができる。
【００６７】
次に、重層束Ｃの単位紙ｃ，ｃ，…の残り枚数が少量となったときの単位紙ｃの取り出し行程について、主に図３乃至図５に基づいて説明する。また、ここで少量の単位紙ｃ，ｃ，…とは、従来では、最も束にて排紙され易いと言われる１０枚以下の場合とする。実際には、少量の枚数は、１０枚を超えることもあるし、９枚以下の一桁台の枚数の場合もある。なお、図中において、重層束Ｃは、実際よりも単位紙ｃ，ｃ同士の重なり部分の隙間を大きくし、高さ方向に拡張して示したものであり、これによって、少量となった重層束Ｃの最下層の単位紙ｃを取出用開口１１ｅから取り出す行程を理解し易くした。
【００６８】
少量の単位紙ｃ，ｃ，…からなる重層束Ｃは重量が僅かであり、従来のものでは、取り出そうとする単位紙ｃと、これと噛み合っている次位の単位紙ｃに対して何ら荷重がかからないに等しい。そのために、取り出そうとする単位紙ｃに引きずられて、次位の単位紙ｃまで取出用開口１１ｅから脱落することになる。また場合によっては、次位の単位紙ｃがさらに、次位の単位紙ｃを引き出してしまい、その結果複数枚の単位紙ｃ，ｃ，…がごっそり引き出されてしまう結果となる。
【００６９】
図４は、残り枚数が少量となった重層束Ｃから単位紙ｃを取り出す行程図である。本発明では、残り枚数が少量となった重層束Ｃの単位紙ｃ，ｃ，…は、最下層付近の単位紙ｃ，ｃ，…がその幅方向に沿った両幅辺が両幅辺支持片３，３によって支持される。具体的には、重層束Ｃの最下層の単位紙ｃが両幅辺支持片３，３の下部膨出条３２，３２によって支持され、最下層の単位紙ｃよりも上方の単位紙ｃ，ｃ，…は、両上部膨出条３１，３１によって支持された状態にある〔図３（Ｃ），図４（Ａ），（Ｃ），（Ｅ）参照〕。
【００７０】
最下層にある単位紙ｃは、それより上方の単位紙ｃ，ｃ，…の重量がかかることによって、両上部膨出条３１，３１に支持されず、両下部膨出条３２，３２の位置まで下がって、支持されることになる。また、最下層の単位紙ｃの上方の単位紙ｃ，ｃ，…の枚数が２，３枚程度であっても、最下層の単位紙ｃは薄紙且つ柔軟であるから、両上部膨出条３１，３１に留まらず、やはり両下部膨出条３２，３２に支持されることになる。
【００７１】
本発明では、残り枚数が少量となった重層束Ｃの最下層付近の単位紙ｃの両前後辺は、両前後辺支持片２，２によって支持される。具体的には、重層束Ｃの最下層付近の単位紙ｃ，ｃ，…は、前後辺の前後方向中間箇所が下方に撓むことにより〔図３（Ｃ）参照〕、両係止面２２，２２によって係止されると共に〔図３及び図４（Ｂ），（Ｄ），（Ｆ）参照〕、両下突出斜面２３，２３の緩傾斜面からの反力Ｆを受けて、自然状態での重層束Ｃ（単位紙ｃ，ｃ，…）の安定した収納状態が維持される。
【００７２】
すなわち、両前後辺支持片２，２の両係止面２２，２２によって重層束Ｃの最下位置寄りの単位紙ｃ，ｃ，…と、それより上方の単位紙ｃ，ｃ，…とが分けられて〔図３（Ｂ）参照〕、最下層寄りの単位紙ｃ，ｃ，…が両下突出斜面２３，２３に支持され、それより上方の単位紙ｃ，ｃ，…は両上突出斜面２１，２１に支持されることになる〔図３（Ｂ），図４（Ｂ），（Ｄ），（Ｅ）参照〕。
【００７３】
重層束Ｃの最下層の単位紙ｃを取出用開口１１ｅから取り出す場合に、前記主案内板１１ｆ，１１ｆ及び副案内板１１ｇ，１１ｇによって取出用開口１１ｅから一部突出した単位紙ｃは、幅方向両側箇所の取出用空隙部１１ｈ，１１ｈに露出し、単位紙ｃの露出箇所を両手にてつまんで引き出すようにして取り出す。このように最下層の単位紙ｃを取り出すと、単位紙ｃはバランス良く引き出される。そして、重層束Ｃは、最下層の単位紙ｃと、それより上方の単位紙ｃ，ｃ，…とが、その前後方向においては、両前後辺支持片２，２の両係止面２２，２２によって擬似的に分離状態とされる。
【００７４】
また、重層束Ｃの幅方向では、最下層の単位紙ｃが両幅辺支持片３，３の両下部膨出条３２，３２に支持され、最下層の単位紙ｃよりも上方の単位紙ｃ，ｃ，…は両上部膨出条３１，３１によって支持される。従来技術では、重層束Ｃの最下層の単位紙ｃを取出用開口１１ｅから取り出すときに、最下層の単位紙ｃは取り出し行程でくねるように動作し、そのくねり動作が重層束Ｃ全体に及んでしまい、そのために重層束Ｃの整然とした積層状態に乱れが生じ、収納体１に対する収納状態が極めて不安定となり、その結果、重層束Ｃが一度に抜け落ち易くなる。
【００７５】
このような事態に対して本発明では、両前後辺支持片２，２の両係止面２２，２２が最下層の単位紙ｃを下方に押さえ付けるように作用し、また両幅辺支持片３，３においても、最下層の単位紙ｃは、上下に隣接する上部膨出条３１と下部膨出条３２との間に存在する窪み部分にその両幅辺が食い込むような状態となって支持される。
【００７６】
そのために、最下層の単位紙ｃの取り出し行程でのくねり動作は最小限に抑えられ、重層束Ｃの収納体１への収納状態を最後まで安定させることができ、しかも前記くねり動作は、重層束Ｃの最下層の単位紙ｃのみで、他の単位紙ｃに影響が及び難い状態としている。そのために、重層束Ｃの最下層の単位紙ｃを取り出そうとするときには、該単位紙ｃは次位の単位紙ｃの一部が取出用開口１１ｅから突出した状態となるように引きずり出す正常な案内動作が行われるのみであり、重層束Ｃより単位紙ｃを最後まで一枚ずつ正確且つ確実に取り出すことができる〔図４（Ｃ），（Ｅ）参照〕。
【００７７】
また、重層束Ｃの最下層の単位紙ｃを取出用開口１１ｅから取り出すと、次位の単位紙ｃは、両幅辺支持片３，３の両上部膨出条３１，３１から両下部膨出条３２，３２の位置に容易に移動することができる。特に、上部膨出条３１及び下部膨出条３２の断面が半円状に形成された実施形態では、ほとんど抵抗なく単位紙ｃが両上部膨出条３１，３１から両下部膨出条３２，３２に移動できる。
【００７８】
さらに、両前後辺支持片２，２では、上突出斜面２１は、急傾斜とし、下突出斜面２３は緩傾斜とすることにより、単位紙ｃが両上突出斜面２１，２１から両下突出斜面２３，２３に移動をより一層容易にできると共に、両下突出斜面２３，２３に移動した単位紙ｃは傾斜面からの抵抗Ｆが大きくなり、取り出し動作以外では、容易に単位紙ｃが下方に落下しないようにすることができる〔図３（Ｂ），図４（Ｄ），（Ｅ）参照〕。
【００７９】
また、前記収納体１の本体下部１１において、主案内板１１ｆと副案内板１１ｇとの間に存在する取出用空隙部１１ｈの位置は、本体下部１１の幅方向のいずれか一方の端部側に偏った位置に存在する〔図１（Ａ），図２（Ａ）参照〕。そのために、最下層の単位紙ｃを取出用開口１１ｅから取り出す場合に、取出用開口１１ｅの幅方向両側箇所に設けられた取出用空隙部１１ｈ，１１ｈに露出した単位紙ｃの一部を、いずれか一方の取出用空隙部１１ｈのみからつまんで取り出そうとすると、最下層の単位紙ｃは、傾いた状態で取り出され易くなる〔図３（Ａ）における二点鎖線による単位紙ｃの表示部参照〕。
【００８０】
そのために、最下位置の単位紙ｃには、回転しようとするモーメントＭが作用し〔図３（Ａ）参照〕、単位紙ｃをつまんでいる側に対してその反対側が上方に跳ね上がる動作を行い、重層束Ｃの整然とした積層状態に乱れが生じ、これによって最下層の単位紙ｃの取り出しの際に、次位の単位紙ｃ或は残り全部の単位紙ｃ，ｃ，…まで引きずり出されてしまうおそれがある。
【００８１】
このモーメントＭによる最下層の単位紙ｃの回転動作に対しても、前述したように両前後辺支持片２，２の両係止面２２，２２に反力Ｆが発生し、最下層の単位紙ｃを抑え付けることとなり〔図３（Ａ），（Ｂ）参照〕、単位紙ｃの傾き状態による取り出し時の回転動作を防止し、安定した単位紙ｃの取出ができる。また、同様に、両幅辺支持片３，３の上下に隣接する上部膨出条３１と下部膨出条３２との間の窪みに最下層の単位紙ｃの両幅辺が略係止状態となり、単位紙ｃの前後方向における回転動作も防止できる〔図３（Ｃ）参照〕。
【００８２】
次に、図５は、重層束Ｃの単位紙ｃ，ｃ，…の残り枚数がさらに僅少となったときの単位紙ｃの取り出し行程を示すもので、具体的には３，４枚以下の場合である。重層束Ｃは、最下層の単位紙ｃは幅方向において、両幅辺支持片３，３の下部膨出条３２，３２によって支持され、最下層の単位紙ｃよりも上方の単位紙ｃ，ｃ，…は、両上部膨出条３１，３１によって支持される。また、僅少な枚数の単位紙ｃ，ｃ，…は、略全体が下方に撓むことにより重層束Ｃ全体が両係止面２２，２２によって係止されると共に、両下突出斜面２３，２３の緩傾斜面からの反力Ｆ〔図５（Ｂ）の点線による矢印参照〕が発生し、自然状態では単位紙ｃ，ｃ，…が安定した状態で停止する状態が維持される〔図５（Ａ），（Ｂ）参照〕。
【００８３】
最下層の単位紙ｃは、取り出し行程でくねるように動作すると、重層束Ｃ全体にくねり動作が及び、重層束Ｃの単位紙ｃ，ｃ，…の整然とした積層状態に乱れが生じて、収納体１内部への収納状態が不安定になりそうであるが、前述したように重層束Ｃ全体が両係止面２２，２２によって重層束Ｃを下方に押さえ付けると共に幅辺支持片３，３の上部膨出条３１と下部膨出条３２との間に引っ掛けるようにして、単位紙ｃ，ｃ，…支持しつつ〔図５（Ａ），（Ｃ），（Ｅ）参照〕、上部膨出条３１よりも本体下部１１内部に突出する下部膨出条３２が単位紙ｃ，ｃ，…を受け止め、一度に複数枚の単位紙ｃ，ｃ，…が脱落しないように作用する。
【００８４】
これによって、重層束Ｃの単位紙ｃ，ｃ，…が残り２，３枚程度となったときでも、最下層の単位紙ｃの取り出し行程におけるくねり動作が最小限に抑えられ、単位紙ｃ，ｃ，…の整然とした積層状態に乱れが生じ難くなり、重層束Ｃの収納体１への収納状態を安定させ、最後まで単位紙ｃを一枚ずつ確実に取り出すことができる〔図５（Ａ）乃至（Ｆ）参照〕。
【符号の説明】
【００８５】
１…収納体、１１…本体下部１１ａ…底面、１１ｂ…側部内壁面、
１１ｃ…前側内壁面、１１ｄ…後側内壁面、２…前後辺支持片、２１…上突出斜面、
２２…係止面、２３…下突出斜面、３…幅辺支持片、３１…上部膨出条、
３２…下部膨出条、Ａ…幅辺支持片ピース材。
【要約】
【目的】複数の単位紙を重層したペーパータオル等の束を安定的に収容することができ、その単位紙束が残り少量数枚となったときでも、１枚ずつ取り出すことができるペーパータオルキャビネットを提供すること。
【構成】単位紙を複数重層した重層束が収納され、単位紙を一枚ずつ連続的に取出可能とした収納体において、本体下部１１と、本体下部１１の底面１１ａの幅方向に沿って形成された取出用開口１１ｅと、上下方向に隣接する上突出斜面２１と下突出斜面２３と上突出斜面２１と下突出斜面２３との間に位置する係止面２２とによってジグザグ形状又は鋸歯形状に形成された前後辺支持片２と、上下に隣接する上部膨出条３１と下部膨出条３２とからなる幅辺支持片３とからなること。前後辺支持片２は本体下部１の両側部内壁面１１ｂ，１１ｂに設けられ、幅辺支持片３は本体下部１の前側内壁面１１ｃと後側内壁面１１ｄにそれぞれ設けらること。
【選択図】      図１【図１】
0004847626.tif 000002
【図２】
0004847626.tif 000003
【図３】
0004847626.tif 000004
【図４】
0004847626.tif 000005
【図５】
0004847626.tif 000006
【図６】
0004847626.tif 000007
【図７】
0004847626.tif 000008
【図８】
0004847626.tif 000009
【図９】
0004847626.tif 000010
【図１０】
0004847626.tif 000011
【図１１】
0004847626.tif 000012
【図１２】
0004847626.tif 000013
【図１３】
0004847626.tif 000014